(57)【要約】【課題】  本考案は筒状や丸形状等の商品のサイズや形状に適応させて、十分な緩衝効果を得て、確実に梱包することができるとともに、使用後の処理やリサイクルを容易に行うことができ、使用前後は効率よく収納しておくことができる梱包材を得るにある。【解決手段】  段ボールや厚紙等で形成された商品等を支持する支持部、この支持部に設けられた支持部材とからなる梱包材本体と、この梱包材本体に両端部が取付けられた、前記支持部材を折り曲げることによりテンションをかけて前記商品等を支持することができる緩衝シートとで梱包材を構成している。【選択図】  図１
0003106010.tif 000002
【実用新案登録請求の範囲】
【請求項１】
段ボールや厚紙等で形成された商品等を支持する支持部、この支持部に設けられた支持部材とからなる梱包材本体と、この梱包材本体に両端部が取付けられた、前記支持部材を折り曲げることによりテンションをかけて前記商品等を支持することができる緩衝シートとからなることを特徴とする梱包材。
【請求項２】
段ボールや厚紙等で形成された、使用時には立体的に支持することができるように撓ませる、あるいは折り曲げて商品等を支持することができる支持部、この支持部に設けられた一対の支持部材とからなる梱包材本体と、この梱包材本体に両端部が熱溶着固定あるいは接着剤で接着固定等で取付けられた、前記支持部材を折り曲げることにより引張方向にテンションをかけて前記商品等を支持することができる緩衝シートとからなることを特徴とする梱包材。
【請求項３】
前記梱包材本体の支持部あるいは支持部材の端部寄り部位に、使用時に商品等が抜け落ちたり、ずれたりするのを防止するストッパー片が形成されていることを特徴とする請求項第１、第２のいずれかに記載の梱包材。
【請求項４】
前記緩衝シートは、ポリウレタン系、エチレン一酢酸ビニール共重合体、ポリオレフィン系およびオレフィン系エラストマー等の熱可塑性樹脂で成形され、前記梱包材本体に熱溶着固定されること特徴とする請求項第１、第２あるいは第３のいずれかに記載の梱包材。
【考案の詳細な説明】
【技術分野】
【０００１】
本考案は、商品を段ボール箱に梱包する場合等に使用される梱包材に関する。
【背景技術】
【０００２】
従来の梱包材は、複数枚の樹脂フィルムで平面状に緩衝するもの、合成樹脂材で空気室を形成したものが使用されている。
また、製品の形状に合わせた発泡スチロールや、段ボールを複数枚折り込んで製品形状に合わせたりしていた。
【０００３】
従来の樹脂フィルムを使用した梱包材は平面的に商品を押し圧して緩衝するので、筒状や丸形状等の商品には十分な緩衝効果が得られなく、梱包するのが困難であるという欠点があった。
また、樹脂フィルムを貼り付けるために有機樹脂系接着剤を使用するので、段ボールをその状態でリサイクルすることができず、産業廃棄物になってしまうという欠点があった。
【特許文献１】特になし
【考案の開示】
【考案が解決しようとする課題】
【０００４】
本考案は以上のような従来の欠点に鑑み、筒状や丸形状等の商品のサイズや形状に適応させて、十分な緩衝効果を得て、確実に梱包することができる梱包材を提供することを目的としている。
また、本考案は使用後の処理やリサイクルを容易に行うことができるとともに、使用前後は効率よく収納しておくことができる梱包材を提供することを目的としている。
【０００５】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００６】
上記目的を達成するために、本考案は段ボールや厚紙等で形成された梱包材本体と、この梱包材本体に取付けられた緩衝シートと、この梱包材本体に設けられた、折り曲げることにより前記緩衝シートにテンションをかけて商品等を支持することができる支持部材とで梱包材を構成している。
【考案の効果】
【０００７】
以下の説明から明らかなように、本考案にあっては次に列挙する効果が得られる。
【０００８】
（１）段ボールや厚紙等で形成された梱包材本体と、この梱包材本体に取付けられた緩衝シートと、この梱包材本体に設けられた、折り曲げることにより前記緩衝シートにテンションをかけて商品等を支持することができる支持部材とからなるので、支持部材を折り曲げることによって緩衝シートに効率よくテンションをかけることができる。
したがって、商品等を包み込んでクッション効果を有するように立体的に支持することができる。
【０００９】
（２）前記（１）によって、支持部材を折り曲げることにより、緩衝シートにテンションをかけた状態を維持することができるので、外部からの衝撃の影響を受けるのを確実に防止することができる。
【００１０】
（３）前記（１）によって、構造が容易なので、安価に製造することができる。
したがって、コストの低減を図ることができる。
【００１１】
（４）請求項２も前記（１）〜（３）と同様な作用効果が得られる。
【００１２】
（５）請求項３も前記（１）〜（３）と同様な作用効果が得られるとともに、使用時に商品等が抜け落ちるのを防止するストッパー片が形成されているので、左右の振動に耐えるとともに、段ボール箱やコンテナ等の収納箱に収納する場合でも、ストッパー片が収納箱の内壁面に接触状態で位置決めされているので、確実に商品を格納することができる。
【００１３】
（６）請求項４も前記（１）〜（５）と同様な作用効果が得られるとともに、有機樹脂系接着剤を使用せず、緩衝フィルムを熱溶着して固定するので、使用後、処分する際等に環境に悪影響を与えることなく安心して処分あるいはリサイクルすることができる。
【考案を実施するための最良の形態】
【００１４】
以下、図面に示す実施するための最良の形態により、本考案を詳細に説明する。
【実施例１】
【００１５】
図１ないし図９に示す本考案の第１実施の形態において、１は円筒形状や丸みを帯びたビンやボトル、プリンターやコピー機等のトナー、カメラのレンズ等の商品２を保持する本考案の梱包材で、この梱包材１は、段ボールや厚紙等の紙材、軟質合成樹脂材、ポリプロピレンシート、ポリエステルシート（ポリエチレンテレフタレート樹脂シート）等の樹脂材の折り曲げ加工品、樹脂成形加工品等でほぼ四角形状に形成された、使用時にはビンやボトル、プリンターのトナー等の商品２、本実施例ではプリンターやコピー機等のトナー２を押さえ込んで立体的に支持することができるように断面凹形状に撓ませることができる折り曲げ部３を有する支持部４、この支持部４の両側部に設けられたほぼ四角形状の一対の支持部材５とからなる梱包材本体６と、この梱包材本体６の前記支持部４の端部寄り部位に形成された、梱包時には商品としての前記トナー２が抜け落ちたり、ずれたりするのを防止するように切り込み７ａにより上方へ突出する第１のストッパー片７、前記一方の支持部材５の両端部部位に前記梱包材本体６と同様の素材で形成された、前記梱包材本体６を段ボール箱やコンテナ等の収納箱８内で位置決めすることができるとともに、前記トナー２が抜け落ちたり、ずれたりするのを防止する、内方へ折り畳み可能な第２のストッパー片９、前記他方の支持部材５の両端部部位に前記梱包材本体６と同様の素材で形成された、前記梱包材本体６を段ボール箱やコンテナ等の収納箱８内で位置決めすることができるとともに、前記トナー２が抜け落ちたり、ずれたりするのを防止する、内方へ折り畳み可能な第３のストッパー片９Ａとからなるストッパー片１０と、前記梱包材本体６の上面を覆うように、前記支持部材５に両端部が熱溶着固定あるいは接着剤で接着固定、本実施例では熱溶着固定された、前記支持部材５を折り曲げることによりテンションをかけて前記トナーを確実に支持することができる透明あるいは半透明のポリウレタン樹脂やオレフィン樹脂等の伸縮自在な熱可塑性の緩衝シート１１とで構成されている。
【００１６】
伸縮自在な熱可塑性の前記緩衝シート１１は、可撓性や可塑性等の衝撃や圧力を吸収、回避することができる、天然ゴム、ＳＥＢＳ、ＳＩＰＳ等のスチレン系可塑性エラストマーやポリエステル系熱可塑性エラストマー、ポリウレタン系熱可塑性エラストマー、ポリアミド系熱可塑性エラストマー、エチレン一酢酸ビニール共重合体、シングルサイト触媒やメタロセン触媒のポリオレフィンとエチレン一酢酸ビニール共重合体の混合物およびオレフィン系エラストマー等の樹脂フィルムを使用し、使用目的や用途によって選択的に使用できる、環境への配慮、リサイクル性、衛生性、美粧性等を考慮すると、好ましくはポリウレタン系熱可塑性樹脂を原料とするフィルムを用いるのがよい。
また、熱可塑性樹脂フィルムは、本考案では、樹脂硬度が９０Ａ以下で、引張破断強度が１９〜１４０.０ＭＰａで好ましくは７０.０〜９０.０ＭＰａ、引張破断伸度が１００〜９００％で好ましくは５００〜７００％、引張弾性率が９.０〜１９６.０４ＭＰａで好ましくは９.０〜２０.０ＭＰａで、−４０度あるいは＋６０度の環境において、貯蔵弾性率が１５.０ＭＰａ以上、損失係数ｔａｎ￣δが−４０度で０.０５以上であることが好ましく、緩衝支持するのに最適な粘性および弾力変形回復性ならびに機械的強度に優れているポリウレタン樹脂フィルムを使用するのが好ましい。
さらに、ポリウレタン樹脂やオレフィン樹脂等の伸縮自在な熱可塑性の緩衝シートの厚さ寸法は、商品トしての前記トナーの形状、大きさ、重量等で異なるが、１０〜３００μｍで、好ましくは２０〜２００μｍである。
【００１７】
なお、本実施例の伸縮自在な熱可塑性の前記緩衝シート１１は、熱溶着固定や接着剤で接着固定されているが、両面テープ等の貼付固定等で取付けられてもよい。
また、本実施例の伸縮自在な熱可塑性の前記緩衝シート１１は、不織布、織布あるいはニット等で成形されたものでもよい。
【００１８】
上記構成の梱包材１は、使用前後には図２ないし図４に示すように、梱包材本体６を展開して平面状態にしておくことができ、小さなスペースに収納保管できる。
使用時には図７および図８に示すように、梱包材本体６の折り曲げ部３を内側方向に折り曲げるとともに、伸縮自在な熱可塑性の緩衝シート１１を弛ませてトナー２を挟み込む。この状態で梱包材本体６の凹部に前記トナー２の下部が収まる。さらに、梱包材本体６に凹部が形成されることにより、切り込み７ａにより第１のストッパー片７が上方へ突出する。
次に、一対の支持部材５、５を順次下方向、すなわち伸縮自在な熱可塑性の緩衝シート１１にテンションがかかる方向へ折り曲げると、トナー２を覆う緩衝シートが引張り状態で上方向より押し付け、立体的に支持することができる。さらに、一方の支持部材５の第２のストッパー片９を内方へ折り畳んだ後、他方の支持部材５の第３のストッパー片９Ａを内方へ折り畳み、上方より第２のストッパー片９を内包する。
収納時には、図１に示すように、第３のストッパー片９Ａの外壁が収納箱８の内壁を滑るように楽に収納することができる。
したがって、収納されたトナー２は伸縮自在な熱可塑性の緩衝シート１１による立体的支持およびクッション効果により確実に支持された状態となり、トナー２を確実に保護することができる。
【００１９】
なお、梱包材１は型抜き成形することができるので、商品２の大きさや形状、収納箱８の幅や高さ等に適応させて成型し、使用することができる
また、図９に示すように、本考案の梱包材１を縦方向に複数個並べて、収納箱８内に収納することもできる。
{考案を実施するための異なる形態}
【００２０】
次に、図１０ないし図３０に示す本考案を実施するための異なる形態につき説明する。なお、これらの本考案を実施するための異なる形態の説明に当って、前記本考案を実施するための最良の第１の形態と同一構成部分には同一符号を付して重複する説明を省略する。
【実施例２】
【００２１】
図１０および図１１に示す本考案の第２の実施の形態において、前記本考案の第１の実施の形態と主に異なる点は、第１のストッパー片７を用いない支持部４Ａを用いた点で、このような梱包材本体６Ａおよびストッパー片１０Ａを構成した梱包材１Ａにしても本考案の第１の実施の形態と同様の作用効果を得ることができる。
【実施例３】
【００２２】
図１２ないし図１５に示す本考案の第３の実施の形態において、前記本考案の第１の実施の形態と主に異なる点は、第２のストッパー片９を用いない点で、このようなストッパー片１０Ｂを構成した梱包材１Ｂにしても本考案の第１の実施の形態と同様の作用効果を得ることができる。
なお、図１４および図１５に示すように、梱包材１Ｂを保持することができる開口部Ｘを第２のストッパー片９Ａに形成してもよく、収納箱８から梱包材１Ｂを取り出したり、運搬したりする場合に、効率よく取り扱うことができる。
【実施例４】
【００２３】
図１６および図１７に示す本考案の第４の実施の形態において、前記本考案の第３の実施の形態と主に異なる点は、第３のストッパー片９Ａを用いない点で、このようなストッパー片１０Ｃを構成した梱包材１Ｃにしても本考案の第１の実施の形態と同様の作用効果を得ることができる。
【実施例５】
【００２４】
図１８および図１９に示す本考案の第５の実施の形態において、前記本考案の第１の実施の形態と主に異なる点は、第１のストッパー片７および第３のストッパー片９Ａを用いない点で、このようなストッパー片１０Ｄを構成した梱包材１Ｄにしても本考案の第１の実施の形態と同様の作用効果を得ることができる。
【実施例６】
【００２５】
図２０および図２１に示す本考案の第６の実施の形態において、前記本考案の第１の実施の形態と主に異なる点は、前記緩衝シート１１の一方端が、前記支持部４に熱溶着固定あるいは接着剤で接着固定された点で、このような梱包材１Ｅにしても本考案の第１の実施の形態と同様の作用効果を得ることができる。
【実施例７】
【００２６】
図２２および図２３に示す本考案の第７の実施の形態において、前記本考案の第１の実施の形態と主に異なる点は、前記ストッパー片１０を用いない点で、このように構成した梱包材１Ｆにしてもよい。
【実施例８】
【００２７】
図２４および図２５に示す本考案の第８の実施の形態において、前記本考案の第３の実施の形態と主に異なる点は、断面三角形状に折り曲げることができる支持部４Ｂを用いた点で、このような梱包材本体６Ｂを用いた梱包材１Ｇにしても本考案の第３の実施の形態と同様の作用効果を得ることができる。
【実施例９】
【００２８】
図２６ないし図２８に示す本考案の第９の実施の形態において、前記本考案の第２の実施の形態と主に異なる点は、一方の第２のストッパー片９および第３のストッパー片９Ａの内側で重なる部位に丸形状の貫通孔１２、１３が形成されたストッパー片１０Ｅを用いた点で、このように構成した梱包材１Ｈにしても本考案の第２の実施の形態と同様の作用効果を得ることができる。
なお、本実施例の前記梱包材１Ｈでは、ワインや焼酎等のビンの頭部分を前記貫通孔１２、１３に嵌め込んで位置固定することができる。
また、本実施例の前記貫通孔１２、１３は、丸形状に形成されたものについて説明したが、これに限らず、商品の形状に合わせて、三角形状、四角形状、楕円形状等に形成されてもよく、嵌め込むことができるような凹形状に形成されてもよい。
さらに、第１の実施例の第２のストッパー片９および第３のストッパー片９Ａに形成してもよく、この場合は、一方の第１のストッパー片７を押し下げて使用することができる。
【実施例１０】
【００２９】
図２９および図３０に示す本考案の第１０の実施の形態において、前記本考案の第１の実施の形態と主に異なる点は、正面部１４、底面部１５、背面部１６、側面部１７、１７、蓋部１８とで構成される収納箱８Ａの該背面部１６の上辺に他方の支持部材５の端部が連続的に設けられている点で、このように構成した梱包材１Ｉにしても本考案の第６の実施の形態と同様の作用効果を得ることができるとともに、商品２を梱包する状態で収納箱８Ａに収めることができるので、別個に収納箱を容易する必要なく、効率よく収納し、運搬することができる。
なお、第２、第３、第４、第５、第６、第７、第８および第９の実施例の他方の支持部材５を前記収納箱８Ａの背面部１６の上辺に連続的に設けたものでもよい。
また、前記蓋部１８の端部の中央寄り部位に係止片１９を設け、前記正面部１４に該係止片１９と係合する係合孔２０を形成し、該蓋部１８で覆うことができる。
【００３０】
なお、本考案の各実施の形態では、段ボールや厚紙等の紙材、軟質合成樹脂材等で四角形状に形成された梱包材本体を用いたものについて説明したが、本考案はこれに限らず、商品や収納容器の形状、大きさに適応するように、丸形状、楕円形状、台形状等の形状に形成されたものを使用してもよい。
【００３１】
また、前記本考案の異なる実施の形態では主に第１の実施の形態を基にして説明したが、本考案はこれに限らず、各実施の形態に使用された構成を組み合わせて使用しても同様な作用効果が得られる。
【産業上の利用可能性】
【００３２】
本考案は梱包材を製造、使用する産業等や家庭等で利用される。
【図面の簡単な説明】
【００３３】
【図１】本考案を実施するための最良の第１の形態の使用状態の説明図。
【図２】本考案を実施するための最良の第１の形態の展開平面図。
【図３】本考案を実施するための最良の第１の形態の展開底面図。
【図４】本考案を実施するための最良の第１の形態の図２の４−４線に沿うの断面図。
【図５】本考案を実施するための最良の第１の形態の使用状態の斜視図。
【図６】本考案を実施するための最良の第１の形態の図５の６−６線に沿うの断面図。
【図７】本考案を実施するための最良の第１の形態の組立て方の説明図。
【図８】本考案を実施するための最良の第１の形態のトナーの梱包状態の説明図。
【図９】本考案を実施するための最良の第１の形態の他の使用状態の説明図。
【図１０】本考案を実施するための第２の形態の展開平面図。
【図１１】本考案を実施するための第２の形態の組立て状態の斜視図。
【図１２】本考案を実施するための第３の形態の展開平面図。
【図１３】本考案を実施するための第３の形態の組立て状態の斜視図。
【図１４】本考案を実施するための第３の形態の展開平面図。
【図１５】本考案を実施するための第３の形態の組立て状態の斜視図。
【図１６】本考案を実施するための第４の形態の展開平面図。
【図１７】本考案を実施するための第４の形態の組立て状態の斜視図。
【図１８】本考案を実施するための第５の形態の展開平面図。
【図１９】本考案を実施するための第５の形態の組立て状態の斜視図。
【図２０】本考案を実施するための第６の形態の展開平面図。
【図２１】本考案を実施するための第６の形態の組立て状態の斜視図。
【図２２】本考案を実施するための第７の形態の展開平面図。
【図２３】本考案を実施するための第７の形態の組立て状態の斜視図。
【図２４】本考案を実施するための第８の形態の展開平面図。
【図２５】本考案を実施するための第８の形態の組立て状態の斜視図。
【図２６】本考案を実施するための第９の形態の展開平面図。
【図２７】本考案を実施するための第９の形態の組立て状態の斜視図。
【図２８】本考案を実施するための第９の形態の使用状態の説明図。
【図２９】本考案を実施するための第１０の形態の展開平面図。
【図３０】本考案を実施するための第１０の形態の使用状態の説明図。
【符号の説明】
【００３４】
１、１Ａ〜１Ｉ：梱包材、            ２：商品、
３：折り曲げ部、                    ４、４Ａ、４Ｂ：支持部、
５：一対の支持部材、                ６、６Ａ、６Ｂ：梱包材本体、
７：第１のストッパー片、            ８、８Ａ：収納箱、
９：第２のストッパー片、            ９Ａ：第３のストッパー片、
１０、１０Ａ〜１０Ｅ：ストッパー片、１１：緩衝シート、
１２：貫通孔、                      １３：貫通孔、
１４：正面部、                      １５：底面部、
１６：背面部、                      １７：側面部、
１８：蓋部、                        １９：係止片、
２０：係合孔、                      Ｘ：開口部。
【図１】
0003106010.tif 000003
【図２】
0003106010.tif 000004
【図３】
0003106010.tif 000005
【図４】
0003106010.tif 000006
【図５】
0003106010.tif 000007
【図６】
0003106010.tif 000008
【図７】
0003106010.tif 000009
【図８】
0003106010.tif 000010
【図９】
0003106010.tif 000011
【図１０】
0003106010.tif 000012
【図１１】
0003106010.tif 000013
【図１２】
0003106010.tif 000014
【図１３】
0003106010.tif 000015
【図１４】
0003106010.tif 000016
【図１５】
0003106010.tif 000017
【図１６】
0003106010.tif 000018
【図１７】
0003106010.tif 000019
【図１８】
0003106010.tif 000020
【図１９】
0003106010.tif 000021
【図２０】
0003106010.tif 000022
【図２１】
0003106010.tif 000023
【図２２】
0003106010.tif 000024
【図２３】
0003106010.tif 000025
【図２４】
0003106010.tif 000026
【図２５】
0003106010.tif 000027
【図２６】
0003106010.tif 000028
【図２７】
0003106010.tif 000029
【図２８】
0003106010.tif 000030
【図２９】
0003106010.tif 000031
【図３０】
0003106010.tif 000032